(57)【要約】      （修正有）【課題】外袋内での内袋保持の確実性に優れるとともに内袋保持のための作業性を向上させることが可能なフレキシブルコンテナの内袋を提供する。【解決手段】内袋の外面の必要箇所に当該外面に沿って一定長さで紐体５を張設した連結部材２を設け、紐体５に外袋の内面に設けられた係合部材６を当該紐体５に沿って移動可能に係合させる。紐体５はその途中で折り返した状態で、内袋の外面に固定された所定長さの基体４内に通され、基体４の一端から露出する紐体５の一端５２が、基体４の他端から露出する紐体５の折り返し部５１内に挿入されて、当該折り返し部５１が基体４の一端に引き寄せられて紐体５の一端５２と他端５３が結ばれ、基体４に二重の紐体５が一定長で張設されている。【選択図】図２
0003208368.tif 000002
【実用新案登録請求の範囲】
【請求項１】
フレキシブルコンテナの外袋内に収納される内袋であって、前記内袋の外面の必要箇所に当該外面に沿って一定長さで紐体を張設した連結部材を設け、前記紐体に外袋の内面に設けられた係合部材を当該紐体に沿って移動可能に係合させるフレキシブルコンテナの内袋。
【請求項２】
前記紐体はその途中で折り返した状態で、前記内袋の外面に固定された所定長さの基体内に通され、前記基体の一端から露出する前記紐体の一端が、前記基体の他端から露出する前記紐体の折り返し部内に挿入されて、前記折り返し部が前記基体の一端に引き寄せられて前記紐体の一端と他端が結ばれ、前記基体に二重の前記紐体が一定長で張設されている請求項１に記載のフレキシブルコンテナの内袋。
【請求項３】
前記基体は樹脂製の本体の一側縁に嵌合凹部が形成されるとともに他側縁に嵌合凸部が形成され、前記本体の中央部は薄肉とされて当該中央部に沿って折り曲げることにより前記嵌合凸部が嵌合凹部に進入してこれらが嵌合するようになっており、嵌合状態の前記基体の両半部間に生じた間隙に前記紐体が挿通されている請求項２に記載のフレキシブルコンテナの内袋。
【請求項４】
前記基体の外周は、フィルム材よりなる前記内袋と同質の、前記基体よりもやや長い幅のフィルム材よりなるカバー体によって覆われており、前記カバー体が前記内袋に熱溶着で固定されている請求項２又は３に記載のフレキシブルコンテナの内袋。
【請求項５】
前記カバー体は一端が前記内袋の外面に熱溶着で固定されている請求項４に記載のフレキシブルコンテナの内袋。
【請求項６】
前記カバー体は両端がそれぞれ延出させられて、これら延出部が前記内袋の表面と裏面にそれぞれ熱溶着で固定されている請求項４に記載のフレキシブルコンテナの内袋。
【考案の詳細な説明】
【技術分野】
【０００１】
本考案はフレキシブルコンテナの内袋に関し、特に外袋内に確実に保持される内袋の構造改良に関するものである。
【背景技術】
【０００２】
フレキシブルコンテナの外袋内に内袋を保持してその脱落を防止する構造としたものが例えば特許文献１に示されている。ここでは、フィルム製の粘着テープを内袋の外面の必要箇所に貼り付けて耳部とし、当該耳部に設けた穴に、外袋の内面に縫い付けられた結合紐を通して縛りつける構造や、内袋の充填口部分を捻って結び目を作り、これを上記結合紐で縛る構造が提案されている。
【先行技術文献】
【特許文献】
【０００３】
【特許文献１】特開２００７−２２３６６１
【考案の概要】
【考案が解決しようとする課題】
【０００４】
しかし、上記従来の構造では、内袋保持の確実性に劣るとともにその作業性にも劣るという問題があった。
【０００５】
そこで、本考案はこのような課題を解決するもので、外袋内での内袋保持の確実性に優れるとともに内袋保持のための作業性も向上させることが可能なフレキシブルコンテナの内袋を提供することを目的とする。
【課題を解決するための手段】
【０００６】
上記目的を達成するために、本第１考案では、フレキシブルコンテナの外袋内に収納される内袋（１）であって、前記内袋（１）の外面の必要箇所に当該外面に沿って一定長さで紐体（５）を張設した連結部材（２，２Ａ〜２Ｄ）を設け、前記紐体（５）に外袋の内面に設けられた係合部材（６）を当該紐体（５）に沿って移動可能に係合させる。なお、「外袋」は袋状のものだけに限定されず箱状のものも含むほか、フレキシブルコンテナの外装に一般に使用されるものを広く含む。また、「内袋」の形状も特に限定されない。
【０００７】
本第１考案においては、内袋の外面に沿って設けた紐体に係合部材を移動可能に係合させる構造であるから、内袋保持の確実性に優れるとともに内袋保持のための作業性も向上する。また、外袋内で内袋の姿勢を一定範囲で調整して荷重分散を図って充填時の内袋の破損等を防止することができる。
【０００８】
本第２考案では、前記紐体（５）はその途中で折り返した状態で、前記内袋（１）の外面に固定された所定長さの基体（４）内に通され、前記基体（４）の一端から露出する前記紐体（５）の一端（５２）が、前記基体（４）の他端から露出する前記紐体（５）の折り返し部（５１）内に挿入されて、前記折り返し部（５１）が前記基体（４）の一端に引き寄せられて前記紐体（５）の一端（５２）と他端（５３）が結ばれ、前記基体（４）に二重の前記紐体（５）が一定長で張設されている。
【０００９】
本第２考案において、折り返し部内に挿入された紐体の一端で折り返し部を十分に引き寄せれば、紐体の張力がその一端および他端に殆ど作用しないようにできるから、紐体の一端と他端の駒結び等の作業を極めて容易に行うことができる。
【００１０】
本第３考案では、前記基体（４）は樹脂製の本体の一側縁に嵌合凹部（４５）が形成されるとともに他側縁に嵌合凸部（４４）が形成され、前記本体の中央部（４１）は薄肉とされて当該中央部（４１）に沿って折り曲げることにより前記嵌合凸部（４４）が嵌合凹部（４５）に進入してこれらが嵌合するようになっており、嵌合状態の前記基体（４）の両半部（４２，４３）間に生じた間隙に前記紐体（５）が挿通されている。
【００１１】
本第３考案によれば、紐体を基体に容易に通すことができる。
【００１２】
本第４考案では、前記基体（４）の外周は、フィルム材よりなる前記内袋（１）と同質の、前記基体（４）よりもやや長い幅のフィルム材よりなるカバー体（３）によって覆われており、前記カバー体（３）が前記内袋（１）に熱溶着で固定されている。
【００１３】
本第４考案においては、紐体が変形したカバー体の両端部の戻り変形力を受けて十分な張力でカバー体の両端間で二重に張られる。そして、紐体が強く接触するのは変形可能なフィルム材のカバー体だけであるから、接触による損傷を生じない。
【００１４】
本第５考案では、前記カバー体（３）は一端（３１）が前記内袋（１）の外面に熱溶着で固定されている。
【００１５】
本第６考案では、前記カバー体（３）は両端（３１，３２）がそれぞれ延出させられて、これら延出部（３３，３４）が前記内袋（１）の表面と裏面にそれぞれ熱溶着で固定されている。
【００１６】
本第６考案においては、内袋への連結部材の取付強度がより向上して充填物の荷重に対する耐性が増し、併せてシールの信頼性も向上する。
【考案の効果】
【００１７】
以上のように、本考案のフレキシブルコンテナの内袋によれば、外袋内での内袋保持の確実性に優れるとともに内袋保持のための作業性も向上させることができる。
【図面の簡単な説明】
【００１８】
【図１】本考案の一実施形態を示す、連結部材を設けた内袋の全体側面図である。
【図２】連結状態とした連結部材の斜視図である。
【図３】連結部材の製作行程を示す斜視図である。
【図４】開放状態の基体の斜視図である。
【図５】連結状態とする前の連結部材の斜視図である。
【図６】連結行程を示す連結部材の斜視図である。
【図７】連結行程を示す連結部材の斜視図である。
【図８】連結行程を示す連結部材の斜視図である。
【図９】本考案の他の実施形態を示す、連結状態とした連結部材の斜視図である。
【考案を実施するための形態】
【００１９】
なお、以下に説明する実施形態はあくまで一例であり、本考案の要旨を逸脱しない範囲で当業者が行う種々の設計的改良も本考案の範囲に含まれる。
【００２０】
（第１実施形態）
図１にはフレキシブルコンテナの内袋の一例を示す。図１において、ポリエチレン等の樹脂フィルムよりなる内袋１は上下端部１１，１２が小径となって、左右の対称位置に一定幅のシール代１３が形成されている。そして、各シール代１３の傾斜辺部分に以下に詳細を説明する、紐体を備えた連結部材２Ａ〜２Ｄが設けられている。
【００２１】
連結部材２Ａ〜２Ｄは同一構造で、その外観を図２に示す。連結部材２は内袋１と同質の一定幅の樹脂フィルム材を巻回してなるカバー体３を備えており、カバー体３内には樹脂製の一定長さの基体４が設けられている。そして、基体４に挿通した紐体５がカバー体３の両端開口から外方へ引き出されてカバー体３の表面に沿って張設されている。
【００２２】
連結部材２は以下の手順で製作されて予め内袋１に取り付けられる。すなわち、図３に示すようにカバー体３の樹脂フィルム材の一端表面に基体４の接触部分が熱溶着によって固定される。基体４の詳細を図４に示す。基体４は樹脂の押出し成形等で製造され、幅方向の中央部４１は薄肉となってこの部分で折り曲げ可能である。基体４の一方の半部の側縁にはこれに沿って、傘状断面に突出する嵌合凸部４４が形成されている。また、他方の半部４３の側縁にはこれに沿って、略Ｕ字断面の嵌合凹所４５が形成されている。中央部４１を折り曲げて（図４の矢印）嵌合凸部４１を嵌合凹部４５内に進入させると基体４は両半部４２，４３が重なって（図３）閉じた状態になる。
【００２３】
基体４を閉じるのに先立って、図３に示すように、途中で折り返した紐体５を、その折り返し部５１と両端部５２，５３が基体４から露出するようにして基体４内に挿置しておく。基体４を閉じた状態で、紐体５は基体４の半部４２，４３間に生じた間隙内に長手方向へ移動可能に位置させられる。
【００２４】
続いて、基体４をカバー体３の一端から他端へ向けて転がして、図５に示すように、樹脂フィルム材が巻き付けられ状態のカバー体３で基体４を覆う。この場合、巻き戻しが生じないように、樹脂フィルム材の他端３１表面とこれに接する巻回された樹脂フィルム材の表面とを適宜箇所で熱溶着しておく。この後、カバー体３の樹脂フィルム材の他端３１を内袋１のシール代１３の表面に熱溶着で固定する。
【００２５】
このようにして必要箇所に上記連結部材２Ａ〜２Ｄを設けた内袋１を外袋（図示略）内に収容する。そして、各連結部材２Ａ〜２Ｄに外袋１の内面に設けられた係合部材を係合させる。係合部材の構造は特に限定されないが、以下は係合部材としてループ状の係合紐６（図５の鎖線）を使用する場合について説明する。
【００２６】
内袋１を外袋内に収容した時点で、図５に示すように外袋のループ状の係合紐６内に、連結部材２の紐体５の折り返し部５１を挿入する。その後、図６に示すようにカバー体３の一端から露出する紐体５の一端５２をループ状になった折り返し部５１内に挿入する。そして、図７の矢印で示すように、紐体５の一端５２をカバー体３の一端方向へ引っ張る。これに伴い、紐体５の折り返し部５１はカバー体３の一端方向へ引き出され、さらに紐体５の一端５２を引っ張ることによって、紐体５の折り返し部５１はカバー体３の一端に到達する（図８）。そしてこの段階で紐体５の両端５２，５３を互いに駒結び等で締結する（図２の状態）。
【００２７】
この状態で、紐体５は、変形したカバー体３の両端部の戻り変形力を受けて十分な張力でカバー体３の両端間で二重に張られ、外袋の係合紐６は、二重に張られた紐体５に係合しつつカバー体３の両端間で移動可能となる。なお、紐体５が強く接触するのは変形可能な樹脂フィルム材のカバー体３だけであるから、接触による損傷を受けることが避けられる。また、折り返し部５１内に挿入された紐体５の一端５２で折り返し部５１をカバー体３の一端に十分引き寄せておけば、紐体５の張力がその両端５２，５３に殆ど作用しないようにできるから、紐体５の両端５２，５３の駒結び等の作業を極めて容易に行うことができる。
【００２８】
上記のような連結部材２Ａ〜２Ｄによって必要箇所を外袋と連結された内袋１は、従来のような粘着テープを使用したものに比して外袋内でのより確実な保持が可能であり、しかも連結作業も容易である。加えて、係止部材としての係合紐６がカバー体３の両端間で移動可能であるから、外袋内で内袋１の姿勢を一定範囲で調整して荷重分散を図って充填時の内袋１の破損等を効果的に防止することができる。
【００２９】
（第２実施形態）
内袋１の上部周囲に使用する連結部材２Ａ，２Ｂとしては、図９に示すものが適している。すなわち図９において、基体４を覆うカバー体３は樹脂フィルム材の両端３２，３３が側方へ並行して延びており、これら一対の延出部３３，３４をそれぞれ例えば内袋１のシール代１３の表裏に熱溶着することにより、内袋１への連結部材２Ａ，２Ｂの取付強度がより向上して充填物の荷重に対する耐性が増し、併せてシールの信頼性も向上させることができる。
（その他の実施形態）
【００３０】
上記実施形態では、基体をカバー体で覆ったが、必ずしもカバー体で覆う必要は無く、カバー体が無い場合でも従来のものに比して優れた効果を発揮する。
基体は上記実施形態に示したような開閉可能な構造である必要は無く、また必ずしも設ける必要は無い。
上記実施形態における樹脂フィルムには樹脂の単層フィルム以外に金属箔等とのラミネートフィルムも含まれる。
また、外袋に設けられる係合部材は上記実施形態で説明した係合紐である必要は無く、紐体に係合してこれに沿って移動可能な構造のものであれば良い。
【符号の説明】
【００３１】
１…内袋、２，２Ａ〜２Ｄ…連結部材、３…カバー体、３１…一端、３２…他端、３３、３４…延出部、４…基体、４１…中央部、４２，４３…半部、４４…嵌合凸部、４５…嵌合凹部、５…紐体、５１…折り返し部、５２…一端、５３…他端、６…係合部材。
【図１】
0003208368.tif 000003
【図２】
0003208368.tif 000004
【図３】
0003208368.tif 000005
【図４】
0003208368.tif 000006
【図５】
0003208368.tif 000007
【図６】
0003208368.tif 000008
【図７】
0003208368.tif 000009
【図８】
0003208368.tif 000010
【図９】
0003208368.tif 000011